(57)【要約】  情報の表示に電力を要する第１表示領域（１）と、第１表示領域（１）より面積が小さく、情報の表示に電力を要する第２表示領域（２）とが、同一の表示画面に配置され、表示画面を囲む筐体（３）における、表示画面と同じ側の面には、接触操作を受け付ける操作部が何も設けられていない表示装置における表示方法であり、第１表示領域（１）のオン状態またはオフ状態によらず、第２表示領域（２）を常時表示の状態とする。
2012043827.tif 000002
【特許請求の範囲】
【請求項１】
情報の表示に電力を要する第１表示領域と、当該第１表示領域より面積が小さく、情報の表示に電力を要する第２表示領域とが、同一の表示画面に配置され、上記表示画面を囲む筐体における、上記表示画面と同じ側の面には、接触操作を受け付ける操作部が何も設けられていない表示装置における表示方法であり、
上記第１表示領域のオン状態またはオフ状態によらず、上記第２表示領域を常時表示の状態とすること
を特徴とする表示方法。
【請求項２】
上記表示装置は、携帯型の表示装置であり、
上記筐体および上記表示画面を、上記表示画面の鉛直方向上側から平面視した外観は、左右上下の区別がない対称形を呈していること
を特徴とする請求項１に記載の表示方法。
【請求項３】
上記第２表示領域に常時表示する情報は、上記表示装置の記憶部に記憶された複数の表示内容から、ユーザが選定した表示内容であること、あるいはユーザが選定した表示内容に対応した情報であること
を特徴とする請求項１または２に記載の表示方法。
【請求項４】
少なくとも上記第１表示領域には、タッチパネルが備えられ、
上記第１表示領域の表示がオフであり、上記タッチパネルのセンシングがオンである場合には、上記第２表示領域に、第１表示内容の情報を常時表示する一方、
上記第１表示領域の表示がオフであり、上記タッチパネルのセンシングもオフである場合には、上記第２表示領域に、上記第１表示内容とは異なる第２表示内容の情報を常時表示すること
を特徴とする請求項１から３のいずれか１項に記載の表示方法。
【請求項５】
上記第２表示領域に常時表示する情報は、上記表示装置に対するユーザの指示によって、循環的に変化すること
を特徴とする請求項１から４のいずれか１項に記載の表示方法。
【発明の詳細な説明】
【技術分野】
【０００１】
本発明は、携帯型または据え置き型の表示装置に備えられた表示画面における表示方法に関するものである。
【背景技術】
【０００２】
近年、表示装置は、情報処理技術および情報伝送技術とともに飛躍的な進化を遂げ、多様化したライフスタイルの創出に大きく寄与している。例えば、薄型テレビ、薄型モニタディスプレイおよび車載ディスプレイなどの据え置き型表示装置、並びに、携帯電話、携帯音楽プレーヤおよびＰＤＡ（Ｐｅｒｓｏｎａｌ  Ｄｉｇｉｔａｌ  Ａｓｓｉｓｔａｎｔｓ）などの携帯型表示装置は、生活必需品ともいい得るくらいに、日常生活に浸透してきている。【０００３】
下掲の特許文献１には、携帯機器の表示部のデザイン性を向上させ、バラエティに富んだ表示部を構成できるように、１つの表面に複数種類の平面型表示パネルを並べて設置した表示装置が開示されている。【０００４】
図８は、表示装置１００の全体構成を模式的に示す断面図である。ガラス基板からなるフロント基板１０１の表示視認側の面（すなわち表面）とは反対側の面（すなわち裏面）に、平面型表示パネルとして、第一表示パネル１０２および第二表示パネル１０３が、ＵＶ硬化型の透光性接着剤１０４により貼り付けられ、一体的に構成されている。【０００５】
第一表示パネル１０２および第二表示パネル１０３の組み合わせの一例は、バックライト付きの液晶表示パネルおよび反射型の液晶表示パネルである。【０００６】
その組み合わせの他の例として、特許文献１には、ノーマリーホワイト型の液晶表示パネルおよびノーマリーブラック型の液晶表示パネル、アクティブ型の液晶表示パネルおよびパッシブ型の液晶表示パネル、または、液晶表示パネルおよび有機ＥＬ表示パネルが記載され、また、フロント基板１０１がタッチパネルとして構成されてもよいことが記載されている。
【先行技術文献】
【特許文献】
【０００７】
【特許文献１】日本国公開特許公報「特開２００９−１６３１３１号（２００９年７月２３日公開）」
【発明の概要】
【発明が解決しようとする課題】
【０００８】
しかしながら、特許文献１に開示された表示装置では、待機モードまたは電源オフモードにおいて、第一表示パネル１０２および第二表示パネル１０３のいずれもオフになり、表示画面には、何も表示されない状態になると考えられる。例えば、待機モードまたは電源オフモードにおいても、第二表示パネル１０３にユーザにとって有用な情報を常時表示させておくことは、全く考慮されていない。【０００９】
例として、特許文献１のような複数の表示パネルが同時にオフになる表示装置では、内蔵バッテリーの充電量の残量、あるいは、現在時刻をユーザが知ろうとすれば、待機モードまたは電源オフモードを解除する指示を入力する操作が必要である。【００１０】
したがって、特許文献１に開示された表示装置は、表示装置がオン状態における表示形態のバリエーションを豊富化できるとはいうものの、表示装置が待機モードまたは電源オフモードのときには、複数種類の表示パネルが設置されていることは何の役にも立っていない。【００１１】
なお、例えば、携帯電話の内面および外面のそれぞれに表示パネルを設け、外面の表示パネルには、ユーザに有用な情報を常時表示する携帯電話が、既に市場に流通している。しかし、携帯電話の内面および外面のそれぞれに表示パネルを設ける構成は、携帯電話の薄型化を困難にするという問題がある。【００１２】
本発明は、上記の問題点に鑑みてなされたものであり、その目的は、同一の表示画面に、第１表示領域と、当該第１表示領域より面積の小さい第２表示領域とが配置された表示装置において、第２表示領域には、ユーザに有用な情報を常時表示することによって、表示装置の利便性を向上させることにある。
【課題を解決するための手段】
【００１３】
本発明の表示方法は、上記の課題を解決するために、
(1) 情報の表示に電力を要する第１表示領域と、
(2) 当該第１表示領域より面積が小さく、情報の表示に電力を要する第２表示領域とが、同一の表示画面に配置され、
(3) 上記表示画面を囲む筐体における、上記表示画面と同じ側の面には、接触操作を受け付ける操作部が何も設けられていない表示装置における表示方法であり、
(4) 上記第１表示領域のオン状態またはオフ状態によらず、上記第２表示領域を常時表示の状態とすることを特徴とする。【００１４】
上記の構成によれば、相対的に面積の小さい第２表示領域は、第１表示領域に対して補助的な表示を行うのに適している。したがって、第１の効果として、情報を表示する主たる表示領域としては、第１表示領域を使用しつつ、表示装置が携帯型か据え置き型かによらず、また、上記第１表示領域がオン状態かオフ状態かによらず、第２表示領域には、ユーザが必要とする情報、またはユーザに有用な情報を、常時表示しておくことができる。【００１５】
これにより、ユーザが知りたい情報（例えば、表示装置のバッテリー残量、現在時刻など）を表示装置から得ようとする場合に、ユーザは、待機モードまたは電源オフモードを解除する指示を入力する手間をかける必要がなく、第２表示領域を見さえすれば事が足りる。それゆえ、表示装置の利便性が向上する。【００１６】
なお、ユーザが必要とする情報、またはユーザに有用な情報には、例えば、天気予報、為替レート、その日のトピックニュース、ユーザが好む画像など、ユーザのライフスタイルに応じた情報が含まれる。【００１７】
また、上記表示画面を囲む筐体における、上記表示画面と同じ側の面には、接触操作を受け付ける操作部が何も設けられていないという表示装置のデザインは、従来存在しなかった斬新なデザインである。【００１８】
このような斬新なデザインにおいて、上記第２表示領域を常時表示の状態とするので、第２の効果が得られる。すなわち、上記第１表示領域のオン状態またはオフ状態によらず、第２表示領域に、少なくとも入力ボタン（入力専用デバイス）に代わるソフトキーを常時表示しておくことができる。したがって、筐体における、表示画面と同じ側の面に、上記のような操作部を何も設けなくても、入力ボタンに代わるソフトキーを常時表示しておけば、表示装置の操作性を悪化させずに済む。つまり、表示装置の操作性を従来の表示装置と同等としつつ、上記操作部を設けないことで表示画面周囲の額縁を狭くすることができ、その分、表示画面を大きくするデザインの可能性を広げることができる。【００１９】
さらに、表示装置が特に携帯型の場合、上記２つの効果に加えて、携帯型に特有の２つの効果が新たに得られる。【００２０】
すなわち、上記のような斬新なデザインでは、携帯型表示装置の待機モードまたは電源オフモードにおいて、従来のように表示画面に情報が何も表示されていなければ、ユーザが、携帯型表示装置の外観に基づいて使用に適した向きを即座に判断することが困難になる。【００２１】
そこで、携帯型に特有の第１の効果として、携帯型表示装置の待機モードまたは電源オフモードにおいても、第２表示領域に、何らかの情報を常時表示しておくことにより、常時表示された情報を手掛かりにして、携帯型表示装置の使用に適した向きをユーザは容易に判断することができる。したがって、携帯型表示装置の利便性が向上する。【００２２】
また、表示装置が携帯型の場合、筐体の内面および外面に表示画面を設け、例えば外面の表示画面に情報を常時表示する表示方法と比較した場合に、携帯型に特有の第２の効果が得られる。すなわち、同一の表示画面に第１表示領域と第２表示領域とが配置されているので、本発明の表示方法は、ユーザに有用な情報などを常時表示可能な表示装置の薄型化に寄与することができる。【００２３】
一方、表示装置が据え置き型の場合、前記２つの効果に加えて、固定型に特有の効果が新たに得られる。【００２４】
すなわち、表示画面の一部に、ユーザに有用な情報などを常時表示することができるので、本発明の表示方法は、テレビ、モニタディスプレイおよび車載ディスプレイなど、その表示装置本来の用途とは全く異なる使用形態を提供することができる。例えば、上述したように、現在時刻、天気予報、為替レート、その日のトピックニュース、ユーザが好む画像など、ユーザのライフスタイルに応じた情報を常時提供することができる。【００２５】
なお、第１表示領域がオンの場合には、第１表示領域の表示内容、あるいは表示装置の使用状態に応じて、第２表示領域の表示内容を変え、それによって表示装置の利便性を向上させることが好ましい。また、上記第２表示領域に表示する情報を簡易にするほど、消費電流を一層抑制することができ、表示装置が携帯型の場合には、バッテリーの使用可能時間を延ばすことができる。【００２６】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００２７】
本発明の表示方法は、以上のように、情報の表示に電力を要する第１表示領域と、当該第１表示領域より面積が小さく、情報の表示に電力を要する第２表示領域とが、同一の表示画面に配置され、上記表示画面を囲む筐体における、上記表示画面と同じ側の面には、接触操作を受け付ける操作部が何も設けられていない表示装置における表示方法であり、上記第１表示領域のオン状態またはオフ状態によらず、上記第２表示領域を常時表示の状態とする。【００２８】
それゆえ、ユーザが知りたい情報を表示装置から得ようとする場合に、ユーザは、待機モードまたは電源オフモードを解除する指示を入力する手間をかける必要がなく、第２表示領域を見さえすれば事が足りるので、表示装置の利便性を向上させることができるという効果を奏する。
【図面の簡単な説明】
【００２９】
【図１】本発明の表示装置の一構成例を示す平面図であり、（ａ）は第１表示領域がオンの状態を示し、（ｂ）は第１表示領域がオフの状態を示している。
【図２】第１表示領域の表示がオフ、かつ第１表示領域のタッチパネルがオンの状態に対応した第２表示領域の表示内容を示す説明図である。
【図３】第１表示領域の表示がオフ、かつ第１表示領域のタッチパネルがオフの状態に対応した第２表示領域の表示内容を示す説明図である。
【図４】第１表示領域がオフの状態において、第２表示領域の表示内容が、ユーザの指示によって循環的に切り換わる様子を示す説明図である。
【図５】図１に示す表示装置の内部構成を概略的に示す機能ブロック図である。
【図６】第１表示領域を構成している１画素の構成を模式的に示す説明図である。
【図７】第２表示領域を構成しているメモリ内蔵画素の構成を模式的に示す説明図である。
【図８】従来の表示装置の全体構成を模式的に示す側面図である。
【発明を実施するための形態】
【００３０】
本発明の実施の一形態について図１ないし図７に基づいて説明すれば、以下のとおりである。但し、この実施の形態に記載されている構成部品の寸法、材質、形状、その相対配置などは、特に特定的な記載がない限り、この発明の範囲をそれのみに限定する趣旨ではなく、単なる説明例に過ぎない。
【００３１】
（携帯型および据え置き型の表示装置に共通する外部構成）
図１は、本発明の表示装置１０の一構成例を示す平面図である。表示装置１０は、同一表示を維持するメモリ性を備えていない画素が二次元的に配列された第１表示領域１と、上記メモリ性を備えた画素が二次元的に配列された第２表示領域２とを備え、第１表示領域１と第２表示領域２とは、同一の表示画面に配置されている。
【００３２】
また、表示装置１０は、上記表示画面を取り囲む筐体３を備えている。筐体３における、上記表示画面と同じ側の面に、接触操作を受け付ける操作部が何も設けられていない。なお、上記接触操作を受け付ける操作部とは、上記操作部にユーザの指などを直接に接触させたときに、その接触を感知することによって、ユーザの指示を受け付ける操作部を意味している。
【００３３】
また、筐体３における、上記表示画面と同じ側の面に、入出力部を含む任意の機能部を何も設けない構成を採用してもよい。なお、「入出力部を含む任意の機能部」には、ユーザが表示装置１０に何らかの指示を与えるための入力ボタン（入力専用デバイス）、マイクのような音声入力デバイス、イヤホンジャックのような音声出力デバイス、ＵＳＢコネクタまたは赤外線通信部のような入出力デバイスなどが含まれる。
【００３４】
第１表示領域１は、アクティブマトリクス型液晶表示パネル、パッシブ型液晶表示パネル、または有機ＥＬパネルなどによって構成することができる。ここでは、第１表示領域１に、タッチパネル機能が付与されたアクティブマトリクス型液晶表示パネルを採用した場合について説明する。
【００３５】
また、第２表示領域２は、その一部の画素または全部の画素に、表示データを記憶するメモリ回路が内蔵された、いわゆるメモリ液晶表示パネルとして構成されていてもよいし、いわゆる電子ペーパーとして構成されていてもよい。ここでは、第２表示領域２をタッチパネル機能が付与されたメモリ液晶表示パネルとして構成した場合について説明する。
【００３６】
なお、メモリ液晶表示パネルは、アクティブマトリクス型液晶表示パネルに比べて、低周波数で液晶を交流駆動することができるため、消費電力を非常に小さくすることができる。
【００３７】
また、電子ペーパーは、電源をオフにしても表示を保持することができ、画面の書き換え時にのみ電力を消費するという特徴を持っているので、アクティブマトリクス型液晶表示パネルまたは有機ＥＬパネルに比べて、消費電力を小さくすることができる。なお、電子ペーパーの表示方式には、電気泳動方式、電子粉流体（登録商標）方式、液晶表示方式などがあり、さらに、液晶表示方式には、強誘電性液晶方式および高分子分散型液晶方式などがある。
【００３８】
（携帯型表示装置に特有の構成）
表示装置１０が携帯型表示装置である場合、上記筐体３にさらに特色がある。すなわち、筐体３および上記表示画面を、上記表示画面の鉛直方向上側から平面視した外観は、左右上下の区別がない対称形を呈している。なお、筐体３における、上記表示画面と同じ側の面に、接触操作を受け付ける操作部が何も設けられていなくてもよいし、入出力部を含む任意の機能部が、対称的に配置されていてもよいし、そのような機能部は一切設けられていなくてもよい。
【００３９】
図１に例示した表示装置１０は、携帯電話機能を有した表示装置なので、筐体３における、上記表示画面と同じ側の面の上下に、送受話用の孔部が設けられている。しかし、上記操作部を何も設けていないので、表示装置の外観として、上下左右対称形の斬新なデザインを採用することができる。。
【００４０】
また、入出力部を含む任意の機能部が一切設けられていない上に、表示画面周りの外観が対称形である場合には、表示画面周囲の額縁を必要最小限に狭くすることができ、その分、表示画面を大きくするデザインの可能性が広がる。この効果は、据え置き型でも得られるが、携帯型においてより顕著に得られる。
【００４１】
さらに、筐体３の背面、つまり上記表示画面を前面とした場合の当該前面と反対側の面には、他の表示画面が設けられていない。このため、筐体の前面および背面に表示画面を持つ表示装置に比べ、表示装置１０は薄型である。
【００４２】
（表示装置の表示状態例〜第１表示領域のオン状態）
図１の（ａ）は、第１表示領域１に電源が供給され、表示モードになっている状態、つまり液晶表示パネルおよびタッチパネルがオンの状態を示している。また、図１の（ｂ）は、第１表示領域１に対する電源の供給が制限または切断され、待機モード（省電力モード、スリープ、またはスタンバイなどを含む）または電源オフモードになっている状態、つまり液晶表示パネルがオフおよびタッチパネルがオン、あるいは液晶表示パネルおよびタッチパネルがオフの状態を示している。
【００４３】
第２表示領域２は、第１表示領域１が、表示モードなのか、待機モードまたは電源オフモードなのかに依らず、第１表示領域１の各モードに応じた表示内容を、常時（四六時中）表示している。
【００４４】
例えば、第１表示領域１が、表示モードの場合、図１の（ａ）に示すように、第２表示領域２には、表示装置１０をユーザが操作するための操作キーを表すアイコンが表示されている。
【００４５】
より具体的には第１表示領域１の電源がオンになった初期画面では、表示装置１０に対して基本的な操作を行うための各種操作キーが、第２表示領域２に常時表示される。基本的な各種操作キーの一例としては、図２にも示すように、操作メニューを呼び出す操作キーｋ１（メニューキー）、初期画面を呼び出す操作キーｋ２（ホームキー）、現在の画面表示を前画面表示に戻す操作キーｋ３（バックキー）、ネット検索を指示する操作キーｋ４（サーチキー）などを挙げることができる。
【００４６】
なお、操作キーｋ１によって呼び出したメニューの１つをユーザが選択し、対応するアプリケーションが起動された場合には、第２表示領域２に常時表示される操作キーは、アプリケーション専用の操作キーに変更される。
【００４７】
このように、第２表示領域２に、ユーザが表示装置１０を操作する上で必要な操作キーを、低消費電力で表示し続けることができるので、筐体３の前面には、操作キーを全く設ける必要が無い。この効果は、表示装置１０が携帯型である場合に顕著になる。
【００４８】
なお、図１の例では、第２表示領域２が第１表示領域１に対する補助的な役割を担っており、第２表示領域２の面積が第１表示領域１の面積より小さい場合を示したが、本発明はこの形態に限られるものではない。すなわち、第２表示領域２の面積が第１表示領域１の面積と等しくてもよいし、第１表示領域１の面積より大きくてもよい。
【００４９】
例えば、第１表示領域１に動画を表示する場合、第２表示領域２には、その動画に関する説明文の情報または静止画の情報を、長時間にわたって表示し続けるようにしてもよい。これにより、ユーザは、第１表示領域１に表示された動画と、第２表示領域２に表示された情報とを合わせて見ることによって、動画に対する興味、あるいは動画に関する知識を深めることができる。
【００５０】
ところで、第２表示領域２の表示された各操作キーの向きは、表示装置１０の長辺を縦方向にした使用状態と、その長辺を横方向にした使用状態とに連動して変わるようになっている。
【００５１】
すなわち、図１に示すように、表示装置１０の長辺を縦方向にした使用状態では、第２表示領域２は表示画面の下端部、言い換えると表示装置１０の一短辺に接するように表示され、各操作キーの表示の向きも、縦方向に対応している。
【００５２】
一方、図示はしていないが、表示装置１０の長辺を横方向にした使用状態では、第２表示領域２は、上記と同じく一短辺に接するように表示されるので、表示画面上の表示位置に変化は無いが、各操作キーの表示の向きが、横方向に対応して９０度回転するように変化する。これにより、表示装置１０の操作性が向上する。
【００５３】
（表示装置の表示状態例〜第１表示領域のオフ状態１）
図１の（ｂ）は第１表示領域１が待機モードまたは電源オフモードの状態を示している。第１表示領域１が待機モードまたは電源オフモードのときには、第２表示領域２には、長時間にわたって表示したい情報（例えば、読むのに時間がかかる文書や、長時間見ていたい画像など）、またはユーザが必要とする情報、またはユーザに有用な情報を低消費電力で長時間、あるいは常時表示することができる。
【００５４】
ユーザが必要とする情報、またはユーザに有用な情報の具体例としては、図３にも示すように、電池残量表示ｋ５、日時表示ｋ６、不在着信表示ｋ７、未読メール表示ｋ８、留守録表示ｋ９、マナーモード表示ｋ１０などが、第２表示領域２に表示され続ける。
【００５５】
特に、表示装置１０が携帯型の場合、ユーザは、知りたい情報（例えば、電池残量、不在着信、現在時刻など）を得るために、待機モードまたは電源オフモードを解除する指示を表示装置１０に入力する手間をかける必要がなく、第２表示領域２を見さえすれば事が足りる。それゆえ、表示装置１０の利便性が向上する。
【００５６】
また、表示装置１０が据え置き型の場合には、表示装置１０本来の用途とは全く異なる使用形態を提供できることについて、既に説明したとおりである。
【００５７】
さらに、表示装置１０が携帯型であって、図１に示すように、筐体３および上記表示画面を、上記表示画面の鉛直方向上側から平面視した外観が、左右上下の区別がない対称形を呈している場合、さらに特有の効果を奏する。すなわち、第１表示領域１が待機モードまたは電源オフのモードであっても、第２表示領域２に、何らかの情報が常時表示されているので、常時表示された情報を手掛かりにして、表示装置１０の使用に適した向きをユーザは即座に判断することができる。
【００５８】
これにより、本発明は、表示画面の鉛直方向上側から平面視した外観が、左右上下の区別のつかない対称形を呈しているという、従来には存在しなかった携帯型表示装置の斬新なデザインを提供することができる。
【００５９】
（表示装置の表示状態例〜第１表示領域のオフ状態２）
次に、第１表示領域１の液晶表示パネルおよびタッチパネル（タッチセンサ）のオンとオフとの組み合わせにより、第２表示領域２の表示内容を変える表示方法の例について、以下説明する。
【００６０】
図２は、第１表示領域１の表示がオフ、かつ第１表示領域１のタッチパネルがオンの状態に対応した第２表示領域２の表示内容（第１表示内容）を示す説明図である。また、図３は、第１表示領域１の表示がオフ、かつ第１表示領域１のタッチパネルがオフの状態に対応した第２表示領域２の表示内容（第２表示内容）を示す説明図である。
【００６１】
ユーザにとって、第１表示領域１の表示がオフになると、第１表示領域１のタッチパネルがオンなのか、オフなのか、見た目で識別することはできなくなる。表示装置１０の待機モードでは、第１表示領域１の表示をオフにして節電する一方、タッチパネルはオンにしておくことによって、表示装置１０に対する入力をいつでも受け付け可能にしておくことが好ましい。
【００６２】
したがって、第１表示領域１の表示がオフ、かつ第１表示領域１のタッチパネルがオンの状態では、図２に示すように、第２表示領域２に操作キーｋ１〜ｋ４などのユーザが表示装置１０に何らかの指示を与えるための操作キーを中心的に表示することが好ましい。
【００６３】
一方、第１表示領域１の表示がオフ、かつ第１表示領域１のタッチパネルがオフの状態では、しばらくの間、表示装置１０の操作が必要ないのだから、図３に示すように、ユーザが必要とする情報、またはユーザに有用な情報として、第２表示領域２に各種表示ｋ５〜ｋ１０などを中心的に表示することが好ましい。
【００６４】
これにより、表示装置１０の利便性がさらに向上する。
【００６５】
（表示装置の表示状態例〜第１表示領域のオフ状態３）
第１表示領域１の表示がオフ、かつ第１表示領域１のタッチパネルがオフの状態では、第２表示領域２に、ユーザが必要とする情報、またはユーザに有用な情報を常時表示することが本発明のねらいの１つである。
【００６６】
そうすると、ユーザが必要とする情報、またはユーザに有用な情報は多様なので、第２表示領域２の表示内容は、１種類であるよりも、複数種類のパターンからユーザが選択できる方が好ましい。
【００６７】
図４は、第１表示領域１がオフの状態において、第２表示領域２の表示内容が、ユーザの指示（トグル入力）によって循環的に切り換わる様子を示す説明図である。
【００６８】
図４に示す例では、各種表示ｋ５〜ｋ１０が表示された第１パターンと、日時表示ｋ６の月日／曜日の部分が、歩数計／消費カロリー表示ｋ１１に変更された第２パターンとを、ユーザの切り替え指示が入力される度に交互に切り替えることができる。
【００６９】
なお、これに限らず、３種類以上のパターンを循環的に切り替えてもよい。例えば、３種類以上のパターンには、その日の行動スケジュール、その日に確認すべき各種メモなどが含まれてもよい。
【００７０】
このように、第２表示領域２の表示内容は、初期設定されたパターンに限定されず、ユーザが必要とする表示内容に変えることができる。ユーザが必要とする表示内容は、第１表示領域１のタッチパネルを入力手段として、設定することができ、ユーザが直接入力した文章、コピーした文章、表示装置１０の外部から取得した画像など、コンテンツの種類は任意であり、第２表示領域２の画素数および精細度に応じた常時表示がなされる。
【００７１】
（表示装置の内部構成）
以上説明した表示動作を実現する表示装置１０の内部構成の概要について、以下説明する。なお、以下に説明する表示装置１０の内部構成は、単なる一例に過ぎず、前述した多様な他の装置の組み合わせに変更可能である。
【００７２】
図５は、図１に示す表示装置１０の内部構成を概略的に示す機能ブロック図である。表示装置１０は、アクティブマトリクス型の液晶表示装置として構成された第１表示部２０と、メモリ液晶表示装置として構成された第２表示部３０とを備えている。
【００７３】
第１表示部２０は、第１表示領域１に対応するタッチパネル付き第１表示パネル２１（以下、単に第１表示パネル２１と呼ぶ）、表示用走査信号線駆動回路２２、表示用データ信号線駆動回路２３、センサ走査信号線駆動回路２４、センサ読み出し回路２５、並びに、表示コントロール部２６およびタッチセンシング部２７を備えた第１コントローラ２８を備えている。
【００７４】
第２表示部３０は、第２表示領域２に対応するタッチパネル付き第２表示パネル３１（以下、単に第２表示パネル３１と呼ぶ）、表示コントロール部３２およびタッチセンシング部３３を備えた第２コントローラ３４を備えている。
【００７５】
このほか、表示装置１０は、第１コントローラ２８および第２コントローラ３４を統括的に制御するメインコントローラ４０と、ＲＯＭおよびＲＡＭなどで構成されたメモリ部５０（記憶部）などを備えている。なお、第１コントローラ２８がメインコントローラ４０を兼ねてもよい。
【００７６】
第１表示パネル２１および第２表示パネル３１は、それぞれ、互いに交差する複数のゲート配線Ｇおよび複数のソース配線Ｓと、各ゲート配線Ｇと各ソース配線Ｓとの交点に対応して設けられる画素とを備えている。
【００７７】
上記表示コントロール部２６は、外部から送られる表示データを基に、データ信号を生成するとともに、表示用走査信号線駆動回路２２および表示用データ信号線駆動回路２３を制御する各種制御信号およびクロック信号を出力する。
【００７８】
表示用走査信号線駆動回路２２は、データ信号の書き込みのために画素を選択する走査信号を、各ゲート配線Ｇに順次出力する。表示用データ信号線駆動回路２３は、各ソース配線Ｓにデータ信号を出力する。
【００７９】
上記タッチセンシング部２７は、センサ走査信号線駆動回路２４の動作タイミングを制御するタイミング信号をセンサ走査信号線駆動回路２４へ出力するとともに、センサ読み出し回路２５が読み取ったセンサ出力電圧を基にして第１表示パネル２１の面内におけるセンサ検出結果の分布を解析する。
【００８０】
センサ走査信号線駆動回路２４は各センサ走査信号線Ｅにセンサ回路を動作させる走査信号を順次出力することによりセンサ走査信号線Ｅを線順次に駆動する。センサ読み出し回路２５は各センサ出力配線Ｖからセンサ出力電圧を読み出す。
【００８１】
一方、第２表示部３０では、表示コントロール部３２およびタッチセンシング部３３が、駆動回路を介さずに直接、第２表示パネル３１の表示およびタッチセンシングを制御するようになっている。表示コントロール部３２が、データ更新を必要とするゲート配線およびソース配線のみのアドレスを指定して、それによって特定される画素のメモリ回路にデータを書き込む方式の場合には、第１表示部２０の表示用走査信号線駆動回路２２および表示用データ信号線駆動回路２３のような駆動回路を設けずに済む。
【００８２】
なお、第１表示部２０および第２表示部３０の各タッチパネルの位置検出方式には、静電容量結合方式、抵抗膜方式、または光センサ方式など任意の方式を選択できる。
【００８３】
（第１表示領域の画素の構成）
図６は、第１表示領域１を構成している１画素の構成を模式的に示す説明図であり、アクティブマトリクス型液晶表示装置の典型的な画素構成を示している。
【００８４】
ソース配線Ｓｎに供給されたデータ信号は、画素トランジスタ５１のオンオフにより、ＣＳ容量５２および液晶容量５３に書き込まれる。画素電極５４と共通電極Ｃｏｍとの間の電圧を液晶に印加することによって表示が行われる。
【００８５】
画素トランジスタ５１のリーク電流による画素電極５４の電位変動の影響を避けるため、通常、６０Ｈｚ等の周波数で、データ信号を画素に供給し直す（データを書き換える）必要がある。このデータ書き換えの際に、ゲート配線Ｇｍおよびソース配線Ｓｎを駆動するための周辺回路が動作し、ゲート配線Ｇｍおよびソース配線Ｓｎがそれぞれ有する容量に対する充放電電流と、周辺回路での動作電流が発生するため、電力が消費される。
【００８６】
（第２表示領域の画素の構成）
図７は、第２表示領域２を構成しているメモリ内蔵画素の構成を模式的に示す説明図である。ゲート配線Ｇｊとソース配線Ｓｉとの交差部に対応して画素領域が形成され、ゲート配線Ｇｊによって選択され、ソース配線Ｓｉからデータが書き込まれるメモリ回路（例えば１ｂｉｔＳＲＡＭまたはＤＲＡＭ）６１と、極性反転機能を有した表示電圧供給回路６２とが、各画素毎に内蔵されている。
【００８７】
メモリ回路６１に記憶されたデータに応じて、表示電圧供給回路６２から画素電極６３に表示電圧が供給されているので、液晶の極性反転周期を１Ｈｚ程度の低周波数に設定して、表示品位を保つことができる。
【００８８】
表示データを書き換える場合にのみ、周辺回路を動作させてメモリ回路６１のデータを更新する必要がある。このときに、ゲート配線Ｇｊおよびソース配線Ｓｉがそれぞれ有する容量に対する充放電電流、周辺回路での動作電流が発生する。しかし、静止画表示のように表示データの書き換えを必要としない場合には、表示電圧供給回路６２から画素電極６３に表示電圧が供給され続けるため、アクティブマトリクス型液晶表示装置の画素のように、一定周期でデータを書き換える動作を必要としない。
【００８９】
これにより、メモリ液晶表示装置の消費電力を、アクティブマトリクス型の液晶表示装置の消費電力より、はるかに小さくすることができる。
【００９０】
（第２表示領域の表示方式の補足）
さらに、第２表示パネル３１は、表示に必要な光源として外光を利用する反射型液晶表示パネルとして構成され、特に、ＰＮＬＣ（Ｐｏｌｙｍｅｒ  Ｎｅｔｗｏｒｋ  Ｌｉｑｕｉｄ  Ｃｒｙｓｔａｌ）技術を採用することによって、偏光板を用いない反射型液晶表示パネルとして構成されている。
【００９１】
ＰＮＬＣ技術によると、液晶層に電圧を印加しないときに液晶分子が不規則に並び、外部から第２表示パネル３１に入射した光は、液晶層で散乱されるため、白濁状態（白表示）が得られる。
【００９２】
一方、液晶層に電圧を印加すると、不規則に並んでいた液晶分子が、表示画面に垂直に並ぶため、透明状態が得られる。これにより、外部から第２表示パネル３１に入射した光は、液晶層を透過して、反射板で反射され、ミラー表示またはミラー感のある黒表示が得られる。
【００９３】
この方式では、偏光板による光の損失が生じないため、約５０％の反射率を有する明るい表示が可能になる。したがって、第２表示領域２は、外光が明るい程、明るく鮮明な表示を行うことができるので、明るい野外で電子ペーパーとして利用する用途にも適している。
【００９４】
なお、第２表示領域２は、白黒表示を行うモノクロームタイプに限らず、カラー表示を行うカラータイプとして構成することもできる。
【００９５】
（第２表示領域の表示内容変更動作１）
メモリ部５０には、第１表示領域１の液晶表示パネルおよびタッチパネルのオンとオフとの組み合わせに応じた表示内容、あるいはアプリケーションの種類に応じた表示内容を第２表示領域２に表示させるための表示データが格納されている。
【００９６】
メインコントローラ４０は、第１表示領域１の液晶表示パネルおよびタッチパネルのオンとオフの状態を検出し、検出結果を第２表示部３０の表示コントロール部３２へ伝える。あるいは、メインコントローラ４０は、起動されたアプリケーションを把握するとともに、ユーザによる第１表示パネル２１を介した操作内容をタッチセンシング部２７が解析した結果を把握し、表示コントロール部３２へ伝える。
【００９７】
これにより、表示コントロール部３２は、第１表示領域１の動作状態に応じた表示内容をメモリ部５０から読出し、第２表示パネル３１に表示させる。
【００９８】
（第２表示領域の表示内容変更動作２）
次に、第２表示領域２の表示内容をユーザが好む表示内容に変更する動作について説明する。なお、メモリ部５０には、ユーザが第２表示領域２に表示させたい表示内容（コンテンツ）が、第１表示パネル２１を介したユーザの操作によって、既に格納されているとする。
【００９９】
例えば、図２に示す操作キーｋ１をユーザがタッチすることにより、第２表示領域２の表示内容をデフォルト設定にするか、ユーザ設定にするかを選択するためのメニューを呼び出す。呼び出されたメニューは、第１表示パネル２１に表示される。ユーザ設定が選択された場合、表示コントロール部２６は、メモリ部５０から、第２表示領域２に表示可能な表示内容のリスト、あるいはその表示内容のサムネイル画像などを読み出し、第１表示パネル２１に表示する。
【０１００】
ユーザが、第１表示パネル２１に表示された表示内容のリストまたはサムネイル画像の１つまたは複数を選定すると、その選定結果が、タッチセンシング部２７およびメインコントローラ４０を介して、表示コントロール部３２に伝達される。
【０１０１】
この結果、表示コントロール部３２は、選択された表示内容のデータを読み出し、第２表示パネル３１に表示する。このようにして、第２表示領域２の表示内容をユーザが好む表示内容に変更することができる。
【０１０２】
本発明の上記表示方法について、以下に補足する。
【０１０３】
本発明の表示方法では、上記表示装置は、携帯型の表示装置であり、上記筐体および上記表示画面を、上記表示画面の鉛直方向上側から平面視した外観は、左右上下の区別がない対称形を呈していることを特徴とする。
【０１０４】
上記の構成によれば、上記筐体における、上記表示画面と同じ側の面に、接触操作を受け付ける操作部が何も設けられていない上に、表示画面周りの外観が、左右上下の区別のつかない対称形になっている。
【０１０５】
この場合、前述した特許文献１の表示装置では、待機モードまたは電源オフのモードにおいて、表示画面には何も情報が表示されないため、外観から、携帯型表示装置の使用に適した向きをユーザは判断することができなくなる。つまり、待機モードまたは電源オフのモードを解除してみると、携帯型表示装置の持ち方が上下逆さまになっていたという不都合が起こり得る。
【０１０６】
これに対し、本発明では、待機モードまたは電源オフのモードであっても、第２表示領域に、何らかの情報を常時表示することが可能である。したがって、常時表示された情報を手掛かりにして、携帯型表示装置の使用に適した向きをユーザは容易に判断することができる。
【０１０７】
これにより、本発明は、表示画面の鉛直方向上側から平面視した外観が、左右上下の区別のつかない対称形を呈しているという、従来には存在しなかった携帯型表示装置の斬新なデザインを提供することができる。
【０１０８】
本発明の表示方法では、上記第２表示領域に常時表示する情報は、上記表示装置の記憶部に記憶された複数の表示内容から、ユーザが選定した表示内容であること、あるいはユーザが選定した表示内容に対応した情報であることを特徴とする。
【０１０９】
上記の構成によれば、上記表示装置の記憶部に記憶された複数の表示内容から、ユーザのライフスタイルに応じた表示内容、あるいはその表示内容に対応した情報を、上記第２表示領域に常時表示することができる。
【０１１０】
なお、記憶部に記憶された複数の表示内容には、前述したように、例えば、表示装置のバッテリー残量、現在時刻、天気予報、為替レート、その日のトピックニュースなどのほか、ユーザが表示装置に直接入力した文章（メモ）、またはコピーした文章、表示装置の外部から取得した画像など、任意の種類のコンテンツが含まれる。
【０１１１】
「ユーザが選定した表示内容」と「ユーザが選定した表示内容に対応した情報」との違いは、第２表示領域に表示された情報が更新されずに変化しないか、更新されて変化するかの違いである。例えば、表示内容が文章や静止画は、経時的に変化しないので、ユーザが選定した表示内容そのものである。また、バッテリー残量または現在時刻などは、経時的に変化するので、ユーザが選定した表示内容に対応した情報に分類される。
【０１１２】
本発明の表示方法では、少なくとも上記第１表示領域には、タッチパネルが備えられ、上記第１表示領域の表示がオフであり、上記タッチパネルのセンシングがオンである場合には、上記第２表示領域に、第１表示内容の情報を常時表示する一方、上記第１表示領域の表示がオフであり、上記タッチパネルのセンシングもオフである場合には、上記第２表示領域に、上記第１表示内容とは異なる第２表示内容の情報を常時表示することを特徴とする。
【０１１３】
上記第１表示領域にタッチパネルが備えられた構成では、第１表示領域に、表示のための電力を供給しなければ、第１表示領域の表示はオフ（例えば、ノーマリーブラック方式では、黒画面、ノーマリーホワイト方式では、白画面）になる一方、タッチパネルのセンシングはオンまたはオフのどちらの状態にも設定できる。
【０１１４】
しかし、第１表示領域の表示はオフであるため、タッチパネルのセンシングはオンまたはオフのどちらの状態になっているのかを、ユーザは、第１表示領域の表示から見た目で把握することができない。
【０１１５】
これに対し、本発明では、第１表示領域の表示がオフになった場合、タッチパネルのセンシングのオンまたはオフの各状態に応じた情報を、上記第２表示領域に常時表示する。したがって、ユーザは、上記第２表示領域の表示内容が、第１表示内容か第２表示内容かによって、タッチパネルのセンシングがオンまたはオフのどちらの状態になっているのかを、容易に把握することができる。
【０１１６】
本発明の表示方法では、上記第２表示領域に常時表示する情報は、上記表示装置に対するユーザの指示によって、循環的に変化することを特徴とする。
【０１１７】
すなわち、上記第２表示領域に常時表示する情報の内容は、少なくとも２種類、好ましくは３種類以上用意されている。これにより、ユーザは、第２表示領域を見ながら表示装置に指示を与えることによって、第２表示領域に常時表示する情報の内容が循環的（トグル方式）に切り替わるので、常時表示すべき情報を容易に選定することができる。この結果、表示装置の利便性がさらに向上する。
【０１１８】
本発明は上述した実施形態および実施例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０１１９】
本発明は、携帯型または据え置き型の表示装置に適用することができる。
【符号の説明】
【０１２０】
１    第１表示領域
２    第２表示領域
３    筐体
１０    表示装置
２１    第１表示パネル（第１表示領域）
３１    第２表示パネル（第２表示領域）
５０    メモリ部（記憶部）
【図１】
2012043827.tif 000003
【図２】
2012043827.tif 000004
【図３】
2012043827.tif 000005
【図４】
2012043827.tif 000006
【図５】
2012043827.tif 000007
【図６】
2012043827.tif 000008
【図７】
2012043827.tif 000009
【図８】
2012043827.tif 000010
【国際調査報告】
2012043827.tif 000011
2012043827.tif 000012
2012043827.tif 000013
2012043827.tif 000014